(57)【要約】【課題】組み立てライン上での二次電線の断線を防止した内燃機関用点火コイルおよびその二次電線の引き回し方法を提供する。【解決手段】二次コイルボビン２３の外周の溝２３１を巻回させられている二次電線２４ａの一端２４ｂを、二次コイルボビン２３の端部２３２に設けられた三組の対向する保持突起２７に保持されている端末線２８の一端２８ａにからげた後、二次電線２４ａを、対向する第一の保持突起２７１のうちの第一の一の保持突起２７１Ａの外側上部に設けた突部２９に引っ掛けて引き回した。【選択図】図１
2008172041.tif 000002
【特許請求の範囲】
【請求項１】
二次コイルボビンの端部に設けられた対向する保持突起で保持されている端末線の一端に、前記二次コイルボビンの外周に巻回させられている二次電線の一端がからげられている内燃機関用点火コイルの二次電線の引き回し方法において、
前記二次電線の一端を、前記端末線の一端にからげた後、
前記二次電線を、前記対向する保持突起の外側へ引き回すことを特徴とする内燃機関用点火コイルの二次電線の引き回し方法。
【請求項２】
二次コイルボビンの端部に設けられた対向する保持突起で保持されている端末線の一端に、前記二次コイルボビンの外周に巻回させられている二次電線の一端がからげられている内燃機関用点火コイルの二次電線の引き回し方法において、
前記二次電線の一端を、前記端末線の一端にからげた後、
前記二次電線を、前記対向する保持突起の少なくとも一方の外側に設けた係止部に引っ掛けて引き回すことを特徴とする内燃機関用点火コイルの二次電線の引き回し方法。
【請求項３】
二次コイルボビンの端部に設けられた対向する保持突起で保持されている端末線の一端に、前記二次コイルボビンの外周に巻回させられている二次電線の一端がからげられている内燃機関用点火コイルにおいて、
前記二次電線の一端を、前記端末線の一端にからげた後、
前記二次電線を、前記対向する保持突起の外側へ引き回したことを特徴とする内燃機関用点火コイル。
【請求項４】
二次コイルボビンの端部に設けられた対向する保持突起で保持されている端末線の一端に、前記二次コイルボビンの外周に巻回させられている二次電線の一端がからげられている内燃機関用点火コイルにおいて、
前記対向する保持突起の少なくとも一方の外側に係止部を設け、
前記二次電線の一端を、前記端末線の一端にからげた後、
前記二次電線を、前記係止部に引っ掛けて引き回したことを特徴とする内燃機関用点火コイル。
【請求項５】
請求項４に記載の内燃機関用点火コイルにおいて、
前記二次コイルボビンの外周に前記二次電線を巻回させる複数の溝を設け、
前記係止部を突部とし、この突部の長さを、前記二次コイルボビンの外周の溝の幅の最大値よりも長くしたことを特徴とする内燃機関用点火コイル。
【発明の詳細な説明】
【技術分野】
【０００１】
本発明は、自動車等の内燃機関の点火プラグに高電圧を供給し、火花放電を発生させるための内燃機関用点火コイルにおいて、特に、組み立てライン上での衝撃に起因した二次電線の断線を防止したり、輸送時の二次コイルボビンの破損を回避した内燃機関用点火コイルおよびその二次電線の引き回し方法に関する。
【背景技術】
【０００２】
自動車等のエンジンルーム内に取り付けられている従来の内燃機関用点火コイルは、例えば、図３（ａ）乃至（ｃ）に示すような構成となっている。そして、図３（ｃ）に示した内燃機関用点火コイルは、上面が開放されている絶縁ケース１内に、少なくともコイル−鉄心組立体２が収容されている。
【０００３】
コイル−鉄心組立体２は、一次コイルボビン２１と、この一次コイルボビン２１の外周に一次電線２２ａが巻回させられて形成される一次コイル２２と、一次コイルボビン２１および一次コイル２２の外側に位置する二次コイルボビン２３と、この二次コイルボビン２３の外周の溝２３１に二次電線２４ａが巻回させられて形成される二次コイル２４と、この二次コイル２４の二次電線２４ａの他端に一端が接続され、他端が絶縁ケース１の下部に設けられている高圧タワー部３に嵌着させられている高圧端子４に接続される接続導体５と、一次コイル２２と二次コイル２４とを磁気的に結合させて閉磁路を形成する鉄心２５とから構成されている。また、鉄心２５は、一次コイル２２および二次コイル２４を貫通するセンタ鉄心２５１と、このセンタ鉄心２５１、一次コイル２２および二次コイル２４の周囲に配置されるサイド鉄心２５２とから構成されている。
なお、コイル−鉄心組立体２が収容された絶縁ケース１内では、エポキシ樹脂等の絶縁樹脂６が注入されて硬化しており、絶縁ケース１内の絶縁が維持されている。
【０００４】
ここで、図３（ａ）に示す通り、二次コイルボビン２３の端部２３２には、三組の対向する保持突起２７から構成されている端末線保持部２６が設けられている。この端末線保持部２６は、三組の対向する保持突起２７で円柱（丸棒）状の端末線２８を着脱可能に保持している。具体的には、三組の対向する保持突起２７は、対向する第一の一の保持突起２７１Ａおよび第一の他の保持突起２７１Ｂで円柱（丸棒）状の端末線２８の一端部２８１を保持し、対向する第二の一の保持突起および第二の他の保持突起で端末線２８の中央部を保持し、対向する第三の一の保持突起および第三の他の保持突起で端末線２８の他端部を保持している。
【０００５】
そして、端末線保持部２６は、コイル−鉄心組立体２が絶縁ケース１内に収容された状態で、三組の対向する保持突起２７を絶縁ケース１の水平方向の中心側から側面側へそれぞれ突出させている。また、第一の一の保持突起２７１Ａは、コイル−鉄心組立体２が絶縁ケース１内に収容された状態で、対向する第一の他の保持突起２７１Ｂよりも絶縁ケース１の開放されている上面側に位置している。
【０００６】
一方、図３（ｂ）に示す通り、円柱（丸棒）状の端末線２８の一端部２８１は、対向する第一の一の保持突起２７１Ａと第一の他の保持突起２７１Ｂとの間の空間にて着脱可能に保持されている。さらに、対向する第一の一の保持突起２７１Ａと第一の他の保持突起２７１Ｂとの間の空間には、端末線２８の一端２８ａに一端２４ｂがからげられている二次電線２４ａが通されて引き回されている。すなわち、二次電線２４ａは、一端２４ｂが端末線２８の一端２８ａにからげられた後、端末線２８の一端部２８１が保持されている対向する第一の一の保持突起２７１Ａと第一の他の保持突起２７１Ｂとの間の空間に通されて引き回され、そして、二次コイルボビン２３の外周の溝２３１を巻回させられている。
【０００７】
なお、三組の対向する保持突起２７のそれぞれの対向面は、円柱（丸棒）状の端末線２８を保持するのに適した空間となるような形状に成形されている。また、三組の対向する保持突起２７のそれぞれの対向面を、円柱状のダイオードを保持するのに適した形状に成形してもよく、そうすると、ダイオードのダイオード本体の両端から水平方向に突出している二つの端子をそれぞれ端末線２８とすることができる。一方で、端末線２８は、三組の対向する保持突起２７に保持された状態で、その円周方向に自由に回転する。
【特許文献１】特開２００６−１７９６５４号公報
【発明の開示】
【発明が解決しようとする課題】
【０００８】
以上のように構成された内燃機関用点火コイルでは、上記の通り、対向する第一の一の保持突起２７１Ａと第一の他の保持突起２７１Ｂとの間の空間にて、円柱（丸棒）状の端末線２８の一端部２８１が保持されている。また、端末線２８の一端２８ａに一端２４ｂがからげられている二次電線２４ａも、対向する第一の一の保持突起２７１Ａと第一の他の保持突起２７１Ｂとの間に通されて引き回されている。一方で、三組の対向する保持突起２７に保持されている端末線２８は、その円周方向に自由に回転する。このため、三組の対向する保持突起２７に保持されている端末線２８が、例えば、組み立てライン上で衝撃を受け、その円周方向に回転すると、対向する第一の一の保持突起２７１Ａと第一の他の保持突起２７１Ｂとの間の空間にて二次電線２４ａを噛み込んでしまい、二次電線２４ａを断線させる問題があった。また、第一の一の保持突起２７１Ａおよび第一の他の保持突起２７１Ｂの対向面はそれぞれ、端末線２８の一端部２８１を保持するのに適した形状に成形されていて強度が弱いので、例えば、複数の二次コイルボビン２３を一度に輸送する際、二次コイルボビン２３同士が重なり合うと、二次コイルボビン２３の外周の溝２３１に、例えば、第一の一の保持突起２７１Ａが入り込んで壊れ、二次コイルボビン２３が破損するという課題があった。
【０００９】
本発明は、上記実情に鑑み提案され、組み立てライン上での衝撃に起因した二次電線の断線を防止したり、輸送時の二次コイルボビンの破損を回避する内燃機関用点火コイルおよびその二次電線の引き回し方法を提供することを目的とする。
【課題を解決するための手段】
【００１０】
上記目的を達成するために、まず、本発明に係る内燃機関用点火コイルの二次電線の引き回し方法は、二次コイルボビンの端部に設けられた対向する保持突起で保持されている端末線の一端に、前記二次コイルボビンの外周に巻回させられている二次電線の一端がからげられている内燃機関用点火コイルの二次電線の引き回し方法において、前記二次電線の一端を、前記端末線の一端にからげた後、前記二次電線を、前記対向する保持突起の外側へ引き回すことを特徴とする。
【００１１】
そして、二次コイルボビンの端部に設けられた対向する保持突起で保持されている端末線の一端に、前記二次コイルボビンの外周に巻回させられている二次電線の一端がからげられている内燃機関用点火コイルの二次電線の引き回し方法において、前記二次電線の一端を、前記端末線の一端にからげた後、前記二次電線を、前記対向する保持突起の少なくとも一方の外側に設けた係止部に引っ掛けて引き回すことを特徴とする。
【００１２】
さらに、本発明に係る内燃機関用点火コイルは、二次コイルボビンの端部に設けられた対向する保持突起で保持されている端末線の一端に、前記二次コイルボビンの外周に巻回させられている二次電線の一端がからげられている内燃機関用点火コイルにおいて、前記二次電線の一端を、前記端末線の一端にからげた後、前記二次電線を、前記対向する保持突起の外側へ引き回したことを特徴とする。
【００１３】
そして、二次コイルボビンの端部に設けられた対向する保持突起で保持されている端末線の一端に、前記二次コイルボビンの外周に巻回させられている二次電線の一端がからげられている内燃機関用点火コイルにおいて、前記対向する保持突起の少なくとも一方の外側に係止部を設け、前記二次電線の一端を、前記端末線の一端にからげた後、前記二次電線を、前記係止部に引っ掛けて引き回したことを特徴とする。
【００１４】
また、上記の本発明に係る内燃機関用点火コイルは、前記二次コイルボビンの外周に前記二次電線を巻回させる複数の溝を設け、前記係止部を突部とし、この突部の長さを、前記二次コイルボビンの外周の溝の幅の最大値よりも長くすることが好ましい。
【発明の効果】
【００１５】
本発明では、二次電線の一端を端末線の一端にからげた後、二次電線を対向する保持突起の外側へ引き回したので、円柱（丸棒）状の端末線が保持されている対向する保持突起の間の空間に、二次電線が通されて引き回されることがなくなる。そうすると、対向する保持突起で保持されている端末線は、例えば、組み立てライン上で、少しの衝撃を受けてその円周方向に回転しても、二次電線を保持突起の間の空間にて噛み込まなくなる。これにより、二次電線の断線を防止することができる。
【００１６】
そして、二次電線の一端を端末線の一端にからげた後、二次電線を対向する保持突起の少なくとも一方の外側に設けた係止部に引っ掛けて引き回すことにより、二次電線が保持突起の外側から外れることがなくなり、組み立てライン上の衝撃に起因した二次電線の断線を確実に防止することができる。
【００１７】
また、保持突起の外側に設けた突部の長さを、二次電線を巻回させるための二次コイルボビンの外周の溝の幅の最大値よりも長くしたので、例えば、複数の二次コイルボビンを一度に輸送する際、二次コイルボビン同士が重なり合あっても、二次コイルボビンの外周の溝に保持突起が入り込むことがない。これにより、強度の弱い保持突起が壊れ、二次コイルボビンが破損することを回避することができる。
【発明を実施するための最良の形態】
【００１８】
以下、一実施形態を示す図面に基づいて本発明を詳細に説明する。
図１（ａ）は、本発明に係る内燃機関用点火コイルの二次コイルボビンの右側面図、図１（ｂ）は、本発明に係る内燃機関用点火コイルの要部拡大図である。図２（ａ）は、本発明に係る内燃機関用点火コイルの端末線保持部の裏面図、図２（ｂ）は、本発明の内燃機関用点火コイルに係る端末線保持部の平面図、図２（ｃ）は、本発明に係る内燃機関用点火コイルにおける二次コイルボビンの裏面図である。なお、図３（ａ）乃至（ｃ）に従来例として示した内燃機関用点火コイルと同一又は相当部分には、同一符号を付して説明を省略する。
【００１９】
図１（ａ）および図１（ｂ）に示された本発明に係る内燃機関用点火コイルは、二次電線２４ａの一端２４ｂを端末線２８の一端２８ａにからげた後、二次電線２４ａを、二次コイルボビン２３の端部２３２に設けられた三組の対向する保持突起２７のうち、第一の一の保持突起２７１Ａの外側上部に設けた、係止部としての突部２９に引っ掛けて引き回すという二次電線２４ａの引き回し方法にて得られるものである。
【００２０】
そして、図２（ａ）に示す通り、第一の一の保持突起２７１Ａの外側上部に設けた突部２９は、第一の一の保持突起２７１Ａの外側上部から絶縁ケース１の開放された上面側へ向けて突出している。この突部２９の高さｘは、０．１ｍｍ〜２ｍｍである。そうすると、図１（ｂ）と図３（ｂ）との対比から明らかなように、本発明に係る内燃機関用点火コイルは、端末線２８の一端２８ａに一端２４ｂがからげられている二次電線２４ａが、第一の一の保持突起２７１Ａの外側上部に設けた、０．１ｍｍ〜２ｍｍの高さｘを有する突部２９に引っ掛けられて引き回されることにより、従来の内燃機関用点火コイルのように、二次電線２４ａが、対向する第一の一の保持突起２７１Ａと第一の他の保持突起２７１Ｂとの間の空間に通されて引き回されることがなくなる。
【００２１】
このため、例えば、組み立てライン上での衝撃により、三組の対向する保持突起２７に保持されている端末線２８が、その円周方向に回転しても、対向する第一の一の保持突起２７１Ａと第一の他の保持突起２７１Ｂとの間の空間にて着脱可能に保持されている端末線２８の一端部２８１は、対向する第一の一の保持突起２７１Ａと第一の他の保持突起２７１Ｂとの間の空間にて二次電線２４ａを噛み込むことがなくなる。
【００２２】
また、図２（ｂ）に示した第一の一の保持突起２７１Ａの外側上部に設けた突部２９の長さｙは、二次コイルボビン２３の外周の溝２３１の幅の最大値より大きい。具体的には、この突部２９の長さｙは、例えば、図２（ｃ）に示した二次コイルボビン２３の外周の溝２３１の幅が最大となる二次コイルボビン２３の中央部の溝の幅ｚよりも長い。そうすると、複数の二次コイルボビン２３を一度に輸送する際、二次コイルボビン２３同士が重なり合っても、第一の一の保持突起２７１Ａが、二次コイルボビン２３の外周の溝２３１に入り込むことがなくなる。
【００２３】
したがって、本発明に係る内燃機関用点火コイルは、三組の対向する保持突起２７に保持されている端末線２８がその円周方向に回転しても、対向する第一の一の保持突起２７１Ａと第一の他の保持突起２７１Ｂとの間の空間にて、端末線２８の一端部２８１が二次電線２４ａを噛み込むことがなくなり、二次電線２４ａの断線を防止することができる。また、複数の二次コイルボビン２３を一度に輸送する際、二次コイルボビン２３同士が重なり合っても、第一の一の保持突起２７１Ａが、二次コイルボビン２３の外周の溝２３１に入り込まなくなり、第一の一の保持突起２７１Ａが壊れ、二次コイルボビン２３が破損することを回避することができる。すなわち、これらの効果により、本発明に係る内燃機関用点火コイルは、組み立て効率が格段に向上するとともに、信頼性の向上に寄与する。
【００２４】
以上、本発明の一実施形態を詳述したが、本発明は、二次電線２４ａを、対向する第一の一の保持突起２７１Ａと第一の他の保持突起２７１Ｂとの間の空間に通さず、対向する第一の一の保持突起２７１Ａと第一の他の保持突起２７１Ｂの外側へ引き回した内燃機関用点火コイルおよびその二次電線２４ａの引き回し方法であれば、上記一実施形態に限定されるものではない。そして、特許請求の範囲に記載された事項を逸脱することがなければ、種々の設計変更を行うことが可能である。
【００２５】
例えば、第一の一の保持突起２７１Ａの外側上部に、係止部としての突部２９を設ける代わりに溝部を設け、この溝部に端末線２８の一端２８ａに一端２４ｂがからげられている二次電線２４ａを這わすようにして、引っ掛けて引き回してもよい。そうすると、第一の一の保持突起２７１Ａの外側上部に係止部としての突部２９を設けずに済むので、二次コイルボビン２３の製造に使用する材料の節約ができる。また、この場合、第一の一の保持突起２７１Ａ自体の幅を、二次コイルボビン２３の外周の溝２３１の幅が最大となる二次コイルボビン２３の中央部の溝の幅ｚよりも広くすることで、第一の一の保持突起２７１Ａが、二次コイルボビン２３の外周の溝２３１に入り込むことがなくなる。
【図面の簡単な説明】
【００２６】
【図１】（ａ）は、本発明に係る内燃機関用点火コイルにおける二次コイルボビンの側面図である。（ｂ）は、本発明に係る内燃機関用点火コイルの要部拡大図である。
【図２】（ａ）は、本発明に係る内燃機関用点火コイルの端末線保持部の裏面図である。（ｂ）は、本発明に係る内燃機関用点火の端末線保持部の平面図である。（ｃ）は、本発明に係る内燃機関用点火コイルにおける二次コイルボビンの裏面図である。
【図３】（ａ）は、従来の内燃機関用点火コイルにおける二次コイルボビンの右側面図である。（ｂ）は、従来の内燃機関用点火コイルの要部拡大図である。（ｃ）は、従来の内燃機関用点火コイルの正面概略縦断面図である。
【符号の説明】
【００２７】
１        絶縁ケース
２        コイルー鉄心組立体
２１      一次コイルボビン
２２      一次コイル
２２ａ    一次電線
２３      二次コイルボビン
２３１    二次コイルボビンの外周の溝
２３２    二次コイルボビンの端部
２４      二次コイル
２４ａ    二次電線
２４ｂ    二次電線の一端
２５      鉄心
２５１    センタ鉄心
２５２    サイド鉄心
２６      端末線保持部
２７      三組の対向する保持突起
２７１Ａ  第一の一の保持突起
２７１Ｂ  第一の他の保持突起
２８      端末線
２８１    端末線の一端部
２８ａ    端末線の一端
２９      係止部としての突部
３        高圧タワー部
４        高圧端子
５        接続導体
６        絶縁樹脂
ｘ        突部の高さ
ｙ        突部の長さ
ｚ        二次コイルボビンの中央部の溝の幅
【図１】
2008172041.tif 000003
【図２】
2008172041.tif 000004
【図３】
2008172041.tif 000005